(57)【特許請求の範囲】
【請求項１】
内フランジ部を有する板状体の少なくとも左右各側面とともに、左右各側面近傍の底面、上面、背面および正面を覆う一対の梱包材であって、内フランジ部外面を覆う側面側上面部に、内フランジ部の幅に対応して側面側上面部と側面部との折り目と平行に内フランジ部の厚みに相当する間隔の一対の折り目が形成されるとともに、該一対の折り目に連通して側面側上面部の端縁に向かう切れ目および側面側上面部と側面部との折り目側に向かう切れ目がそれぞれ形成され、一対の折り目に沿う折り曲げによって一体に連動する抜け止め片および跳ね上がり防止片が区画され、板状体の梱包時、一対の折り目に沿って折り曲げることにより抜け止め片を内フランジ部に巻き付けるとともに、抜け止め片に連動して内フランジ部から突出する跳ね上がり防止片を背面側上面部および正面側上面部が上方から覆って跳ね上がり防止片が元の位置に戻ろうとするのを防止することを特徴とする板状体の梱包材。
【請求項２】
内フランジ部を有する板状体の少なくとも左右各側面とともに、左右各側面近傍の底面、上面、背面および正面を覆う一対の梱包材であって、底面部の側端縁に側面部および側面側上面部が折り目を介して順に連設される一方、底面部の上下各端縁に背面部および正面部がそれぞれ折り目を介して連設されるとともに、背面部の上端縁および正面部の下端縁に背面側上面部および正面側上面部がそれぞれ折り目を介して連設されて構成され、側面側上面部の上下各端部近傍に側面部との折り目に向かって凸状の切れ目がそれぞれ形成されるとともに、該凸状の切れ目を挟んで側面側上面部の端縁から設定長さにわたって一対の切れ目がそれぞれ形成され、さらに、凸状の切れ目と一対の切れ目との間に内フランジ部の幅に対応して側面側上面部と側面部との折り目と平行に内フランジ部の厚みに相当する間隔の一対の折り目がそれぞれ形成され、また、背面側上面部および正面側上面部の高さが側面側上面部の上下各端部近傍に形成された凸状の切れ目を覆う長さに設定されることを特徴とする板状体の梱包材。
【請求項３】
内フランジ部を有する板状体の少なくとも左右各側面とともに、左右各側面近傍の底面、上面、背面および正面を覆う一対の梱包材であって、底面部の側端縁に側面部および側面側上面部が折り目を介して順に連設される一方、底面部の上下各端縁に背面部および正面部がそれぞれ折り目を介して連設されるとともに、背面部の上端縁および正面部の下端縁に背面側上面部および正面側上面部がそれぞれ折り目を介して連設されて構成され、側面側上面部の上下各端部近傍に側面部との折り目に向かって複数個の凸状の切れ目がそれぞれ形成されるとともに、該複数個の凸状の切れ目のうちの両側の凸状の切れ目に連続して側面側上面部の端縁まで延びる一対の切れ目がそれぞれ形成され、さらに、隣接する凸状の切れ目間に内フランジ部の幅に対応して側面側上面部と側面部との折り目と平行に内フランジ部の厚みに相当する間隔の一対の折り目がそれぞれ形成され、また、背面側上面部および正面側上面部の高さが側面側上面部の上下各端部近傍に形成された凸状の切れ目を覆う長さに設定されることを特徴とする板状体の梱包材。
【請求項４】
内フランジ部を有する板状体の少なくとも左右各側面とともに、左右各側面近傍の底面、上面、背面および正面を覆う一対の梱包材であって、底面部の側端縁に側面部および側面側上面部が折り目を介して順に連設される一方、底面部の上下各端縁に背面部および正面部がそれぞれ折り目を介して連設されるとともに、背面部の上端縁および正面部の下端縁に背面側上面部および正面側上面部がそれぞれ折り目を介して連設されて構成され、側面側上面部の上下各端部近傍に側面部との折り目に向かって複数個の凸状の切れ目がそれぞれ形成されるとともに、該複数個の凸状の切れ目を挟んで側面側上面部の端縁から設定長さにわたって一対の切れ目がそれぞれ形成され、さらに、隣接する凸状の切れ目間および複数個の凸状の切れ目のうちの両側の凸状の切れ目と一対の切れ目との間に内フランジ部の幅に対応して側面側上面部と側面部との折り目と平行に内フランジ部の厚みに相当する間隔の一対の折り目がそれぞれ形成され、また、背面側上面部および正面側上面部の高さが側面側上面部の上下各端部近傍に形成された凸状の切れ目を覆う長さに設定されることを特徴とする板状体の梱包材。
【請求項５】
請求項２または４のいずれか一つに記載の板状体の梱包材において、前記背面側上面部の側端縁および正面側上面部の側端縁に係止片がそれぞれ折り目を介して連設され、また、側面側上面部の上下各端部近傍に側面部との折り目に沿って係止片に対応して差込孔がそれぞれ形成されるとともに、各係止片の端縁に、背面側上面部および正面側上面部との各折り目に沿って側面側上面部の差込孔端縁部に係止可能な係止溝がそれぞれ形成されることを特徴とする板状体の梱包材。
【請求項６】
請求項２乃至５のいずれか一つに記載の板状体の梱包材において、前記底面部と側面部との折り目および側面部と側面側上面部との折り目が設定間隔をおいて間欠的に形成されるとともに、底面部および側面側上面部に、間欠的な折り目における対向する端縁を結んで角括弧状の切れ目がそれぞれ形成され、底面部の角括弧状の切れ目および側面側上面部の角括弧状の切れ目が互い違いに形成されることを特徴とする板状体の梱包材。
【請求項７】
請求項２乃至６のいずれか一つに記載の板状体の梱包材において、前記底面部と背面部との折り目、底面部と正面部との折り目、背面部と背面側上面部との折り目、正面部と正面側上面部との折り目が設定間隔をおいて間欠的に形成されるとともに、底面部、背面側上面部、正面側上面部に、各間欠的な折り目における対向する端縁を結んで角括弧状の切れ目がそれぞれ形成され、底面部の角括弧状の切れ目および背面側上面部の角括弧状の切れ目、底面部の角括弧状の切れ目および正面側上面部の角括弧状の切れ目がそれぞれ互い違いに形成されることを特徴とする板状体の梱包材。
【発明の詳細な説明】
【技術分野】
【０００１】
この発明は、板状体、例えば、型枠付き太陽電池モジュールなどの梱包材に関するものである。
【背景技術】
【０００２】
従来より、型枠付き太陽電池モジュールの梱包材が知られている。例えば、特許文献１には、太陽電池パネル枠Ｗａの一方の側において、表面３から上面６を経て折返上面７を太陽電池パネル枠Ｗａに沿って巻き込むとともに、表面３から下面８を経て折返下面９を太陽電池パネル枠Ｗａに沿って巻き込み、さらに、表面３から側面４を経て裏面５を太陽電池パネル枠Ｗａに沿って巻き込んで梱包する梱包箱が記載されている。この梱包箱においては、裏面５の上下各端縁に連設した上下の係止片１２，１３を折返上面７および折返下面９にそれぞれ形成した上下の差込孔１４，１５に差し込み、ロック部１２ａ，１３ａを介して係止することにより、裏面５を抜け止めしている。
【０００３】
また、特許文献２には、太陽電池のパネルフレームＦの一方の側において、下板１３から側板１１を経て上板１２をパネルフレームＦに沿って巻き込み、下板１３から外ヒレ１５を経て折り返し片１６をパネルフレームＦに沿って巻き込んで梱包する包装具が記載されている。この包装具においては、上板１２の上下各端部にＵ字状の切れ目を形成して内ヒレ１４および突片１４ａを形成し、パネルフレームＦの上面に突片１４ａを載置しつつその内面に内ヒレ１４を沿わせ、さらに、上下の折り返し片１６にそれぞれ連設した差込片１７を上板１２の上下各端部にそれぞれ形成した差込口に差し込むことにより、上板１２を抜け止めしている。
【先行技術文献】
【特許文献】
【０００４】
【特許文献１】実用新案登録第３０９７１４７号公報
【特許文献２】特開２００９−１０７６３６号公報
【発明の概要】
【発明が解決しようとする課題】
【０００５】
しかしながら、引用文献１の梱包箱は、裏面に連設した係止片を折返上面（折返下面）の差込孔に差し込み、ロック部を介して係止するようにしているが、係止片を差込孔に差し込むだけであり、ロック部を折返上面（折返下面）の裏面側に確実に係止させることはできず、裏面の復元力による跳ね上がりを確実に防止することは困難である。しかも、太陽電池パネル枠に対して梱包箱が抜け出し方向に移動した場合、差込孔に差し込まれた係止片の端縁に太陽電池パネル枠の内端面が衝突することになる。この場合、係止片は簡単に圧潰し、太陽電池パネル枠からの梱包箱の抜け出しを確実に防止することはできないものとなる。
【０００６】
このため、太陽電池パネル枠の左右各側にそれぞれ装着された梱包箱は、それらの抜け出しを防止するために、結束バンドなどによって結束する必要があった。
【０００７】
また、引用文献２の包装具は、折り返し片に連設した差込片を上板の差込口に差し込み、それらの係合溝を介して係合させることにより、上板の抜け出し、すなわち、上板の復元力による跳ね上がりを防止することができる。しかしながら、太陽電池モジュールに対して包装具が抜け出し方向に移動した場合、差込口に差し込まれた差込片および内ヒレの端縁に太陽電池モジュールのフレーム内端面が衝突することから、差込片や内ヒレは簡単に圧潰し、太陽電池モジュールからの包装具の抜け出しを確実に防止することはできないものである。
【０００８】
このため、太陽電池モジュールの左右各側にそれぞれ装着された包装具は、それらの離脱を防止するために、結束バンドなどによって結束する必要があった。
【０００９】
本発明は、このような問題点に鑑みてなされたもので、型枠付き太陽電池モジュールなどの板状体からの抜け出しを確実に防止して梱包することのできる梱包材を提供ものである。
【課題を解決するための手段】
【００１０】
本発明は、内フランジ部を有する板状体の少なくとも左右各側面とともに、左右各側面近傍の底面、上面、背面および正面を覆う一対の梱包材であって、内フランジ部外面を覆う側面側上面部に、内フランジ部の幅に対応して側面側上面部と側面部との折り目と平行に内フランジ部の厚みに相当する間隔の一対の折り目が形成されるとともに、該一対の折り目に連通して側面側上面部の端縁に向かう切れ目および側面側上面部と側面部との折り目側に向かう切れ目がそれぞれ形成され、一対の折り目に沿う折り曲げによって一体に連動する抜け止め片および跳ね上がり防止片が区画され、板状体の梱包時、一対の折り目に沿って折り曲げることにより抜け止め片を内フランジ部に巻き付けるとともに、抜け止め片に連動して内フランジ部から突出する跳ね上がり防止片を背面側上面部および正面側上面部が上方から覆って跳ね上がり防止片が元の位置に戻ろうとするのを防止することを特徴とするものである。
【００１１】
本発明によれば、一対の梱包材によって板状体の左右各側面を覆うとともに、左右各側面近傍の底面、上面、背面および正面を覆って梱包する。そして、板状体の梱包に際して、板状体の内フランジ部を覆う側面側上面部に形成された内フランジ部の厚みに相当する間隔の一対の折り目に沿って折り曲げ、側面側上面部の端縁に向かう切れ目および側面側上面部と側面部との折り目側に向かう切れ目によって一体に連動する抜け止め片および跳ね上がり防止片を区画する。次いで、一対の折り目に沿って折り曲げて抜け止め片を内フランジ部に巻き付けるとともに、抜け止め片に連動して内フランジ部から突出する跳ね上がり防止片の上方に背面側上面部および正面側上面部をそれぞれ被せて跳ね上がり防止片が元の位置に戻ろうとするのを防止する。
【００１２】
この場合、背面側上面部および正面側上面部を側面側上面部に粘着テープなどを利用してそれぞれ貼着し、背面側上面部および正面側上面部が元の位置に戻ろうとするのを防止する。
【００１３】
この結果、抜け止め片が内フランジ部に巻き付けられた状態で、抜け止め片と一体の跳ね上がり防止片を背面側上面部および正面側上面部が上方から覆って跳ね上がり防止片が元の位置に戻ろうとするのを防止することにより、板状体からの梱包材の抜け出しを確実に防止できる。
【００１４】
本発明は、内フランジ部を有する板状体の少なくとも左右各側面とともに、左右各側面近傍の底面、上面、背面および正面を覆う一対の梱包材であって、底面部の側端縁に側面部および側面側上面部が折り目を介して順に連設される一方、底面部の上下各端縁に背面部および正面部がそれぞれ折り目を介して連設されるとともに、背面部の上端縁および正面部の下端縁に背面側上面部および正面側上面部がそれぞれ折り目を介して連設されて構成され、側面側上面部の上下各端部近傍に側面部との折り目に向かって凸状の切れ目がそれぞれ形成されるとともに、該凸状の切れ目を挟んで側面側上面部の端縁から設定長さにわたって一対の切れ目がそれぞれ形成され、さらに、凸状の切れ目と一対の切れ目との間に内フランジ部の幅に対応して側面側上面部と側面部との折り目と平行に内フランジ部の厚みに相当する間隔の一対の折り目がそれぞれ形成され、また、背面側上面部および正面側上面部の高さが側面側上面部の上下各端部近傍に形成された凸状の切れ目を覆う長さに設定されることを特徴とするものである。
【００１５】
本発明によれば、展開図にしたがって打ち抜いた後、板状体の幅方向の長さ間隔をおいて一対の梱包材を左右対称に配置し、それらの底面部にわたって板状体を載置する。次いで、底面部に対して側面部を折り目に沿って折り曲げて立ち上げるとともに、側面部に対して側面側上面部を折り目に沿って折り曲げて板状体の上面に被せる。そして、側面側上面部の上下各端部近傍に形成された内フランジ部の厚みに相当する間隔の一対の折り目に沿って折り曲げ、側面側上面部と側面部との折り目側に向かう凸状の切れ目および該凸状の切れ目を挟んで側面側上面部の端縁から設定長さにわたって延びる一対の切れ目によって一体に連動する抜け止め片および跳ね上がり防止片を区画する。次いで、一対の折り目に沿って折り曲げて抜け止め片を内フランジ部に巻き付けるとともに、抜け止め片と一体に連動する跳ね上がり防止片を内フランジ部から突出させる。この状態で、底面部に対して背面部および正面部をそれぞれ折り目に沿って折り曲げて立ち上げるとともに、背面部および正面部に対して背面側上面部および正面側上面部をそれぞれ折り目に沿って折り曲げて板状体の上面に被せる。これにより、背面側上面部および正面側上面部が内フランジ部から突出する跳ね上がり防止片を上方から覆って跳ね上がり防止片が元の位置に戻ろうとするのを防止する。
【００１６】
この場合、背面側上面部および正面側上面部を側面側上面部に粘着テープなどを利用してそれぞれ貼着し、背面側上面部および正面側上面部が元の位置に戻ろうとするのを防止する。
【００１７】
この結果、抜け止め片が内フランジ部に巻き付けられた状態で、抜け止め片と一体の跳ね上がり防止片を背面側上面部および正面側上面部が上方から覆って跳ね上がり防止片が元の位置に戻ろうとするのを防止することにより、板状体からの梱包材の抜け出しを確実に防止できる。
【００１８】
本発明は、内フランジ部を有する板状体の少なくとも左右各側面とともに、左右各側面近傍の底面、上面、背面および正面を覆う一対の梱包材であって、底面部の側端縁に側面部および側面側上面部が折り目を介して順に連設される一方、底面部の上下各端縁に背面部および正面部がそれぞれ折り目を介して連設されるとともに、背面部の上端縁および正面部の下端縁に背面側上面部および正面側上面部がそれぞれ折り目を介して連設されて構成され、側面側上面部の上下各端部近傍に側面部との折り目に向かって複数個の凸状の切れ目がそれぞれ形成されるとともに、該複数個の凸状の切れ目のうちの両側の凸状の切れ目に連続して側面側上面部の端縁まで延びる一対の切れ目がそれぞれ形成され、さらに、隣接する凸状の切れ目間に内フランジ部の幅に対応して側面側上面部と側面部との折り目と平行に内フランジ部の厚みに相当する間隔の一対の折り目がそれぞれ形成され、また、背面側上面部および正面側上面部の高さが側面側上面部の上下各端部近傍に形成された凸状の切れ目を覆う長さに設定されることを特徴とするものである。
【００１９】
本発明によれば、展開図にしたがって打ち抜いた後、板状体の幅方向の長さ間隔をおいて一対の梱包材を左右対称に配置し、それらの底面部にわたって板状体を載置する。次いで、底面部に対して側面部を折り目に沿って折り曲げて立ち上げるとともに、側面部に対して側面側上面部を折り目に沿って折り曲げて板状体の上面に被せる。そして、側面側上面部の上下各端部近傍に形成された内フランジ部の厚みに相当する間隔の一対の折り目に沿って折り曲げ、側面側上面部と側面部との折り目側に向かう複数個の凸状の切れ目および該複数個の凸状の切れ目のうちの両側の凸状の切れ目に連続して側面側上面部の端縁まで延びる一対の切れ目とによって一体に連動する抜け止め片および跳ね上がり防止片を区画する。次いで、一対の折り目に沿って折り曲げて抜け止め片を内フランジ部に巻き付けるとともに、抜け止め片と一体に連動する跳ね上がり防止片を内フランジ部から突出させる。この状態で、底面部に対して背面部および正面部をそれぞれ折り目に沿って折り曲げて立ち上げるとともに、背面部および正面部に対して背面側上面部および正面側上面部をそれぞれ折り目に沿って折り曲げて板状体の上面に被せる。これにより、背面側上面部および正面側上面部が内フランジ部から突出する跳ね上がり防止片を上方から覆って跳ね上がり防止片が元の位置に戻ろうとするのを防止する。
【００２０】
この場合、背面側上面部および正面側上面部を側面側上面部に粘着テープなどを利用してそれぞれ貼着し、背面側上面部および正面側上面部が元の位置に戻ろうとするのを防止する。
【００２１】
この結果、抜け止め片が内フランジ部に巻き付けられた状態で、抜け止め片と一体の跳ね上がり防止片を背面側上面部および正面側上面部が上方から覆って跳ね上がり防止片が元の位置に戻ろうとするのを防止することにより、板状体からの梱包材の抜け出しを確実に防止できる。
【００２２】
本発明は、内フランジ部を有する板状体の少なくとも左右各側面とともに、左右各側面近傍の底面、上面、背面および正面を覆う一対の梱包材であって、底面部の側端縁に側面部および側面側上面部が折り目を介して順に連設される一方、底面部の上下各端縁に背面部および正面部がそれぞれ折り目を介して連設されるとともに、背面部の上端縁および正面部の下端縁に背面側上面部および正面側上面部がそれぞれ折り目を介して連設されて構成され、側面側上面部の上下各端部近傍に側面部との折り目に向かって複数個の凸状の切れ目がそれぞれ形成されるとともに、該複数個の凸状の切れ目を挟んで側面側上面部の端縁から設定長さにわたって一対の切れ目がそれぞれ形成され、さらに、隣接する凸状の切れ目間および複数個の凸状の切れ目のうちの両側の凸状の切れ目と一対の切れ目との間に内フランジ部の幅に対応して側面側上面部と側面部との折り目と平行に内フランジ部の厚みに相当する間隔の一対の折り目がそれぞれ形成され、また、背面側上面部および正面側上面部の高さが側面側上面部の上下各端部近傍に形成された凸状の切れ目を覆う長さに設定されることを特徴とするものである。
【００２３】
本発明によれば、展開図にしたがって打ち抜いた後、板状体の幅方向の長さ間隔をおいて一対の梱包材を左右対称に配置し、それらの底面部にわたって板状体を載置する。次いで、底面部に対して側面部を折り目に沿って折り曲げて立ち上げるとともに、側面部に対して側面側上面部を折り目に沿って折り曲げて板状体の上面に被せる。そして、側面側上面部の上下各端部近傍に形成された内フランジ部の厚みに相当する間隔の一対の折り目に沿って折り曲げ、側面側上面部と側面部との折り目側に向かう複数個の凸状の切れ目および該複数個の凸状の切れ目を挟んで側面側上面部の端縁から設定長さにわたって延びる一対の切れ目とによって一体に連動する抜け止め片および跳ね上がり防止片を区画する。次いで、一対の折り目に沿って折り曲げて抜け止め片を内フランジ部に巻き付けるとともに、抜け止め片と一体に連動する跳ね上がり防止片を内フランジ部から突出させる。この状態で、底面部に対して背面部および正面部をそれぞれ折り目に沿って折り曲げて立ち上げるとともに、背面部および正面部に対して背面側上面部および正面側上面部をそれぞれ折り目に沿って折り曲げて板状体の上面に被せる。これにより、背面側上面部および正面側上面部が内フランジ部から突出する跳ね上がり防止片を上方から覆って跳ね上がり防止片が元の位置に戻ろうとするのを防止する。
【００２４】
この場合、背面側上面部および正面側上面部を側面側上面部に粘着テープなどを利用してそれぞれ貼着し、背面側上面部および正面側上面部が元の位置に戻ろうとするのを防止する。
【００２５】
この結果、抜け止め片が内フランジ部に巻き付けられた状態で、抜け止め片と一体の跳ね上がり防止片を背面側上面部および正面側上面部が上方から覆って跳ね上がり防止片が元の位置に戻ろうとするのを防止することにより、板状体からの梱包材の抜け出しを確実に防止できる。
【００２６】
本発明において、前記背面側上面部の側端縁および正面側上面部の側端縁に係止片がそれぞれ折り目を介して連設され、また、側面側上面部の上下各端部近傍に側面部との折り目に沿って係止片に対応して差込孔がそれぞれ形成されるとともに、各係止片の端縁に、背面側上面部および正面側上面部との各折り目に沿って側面側上面部の差込孔端縁部に係止可能な係止溝がそれぞれ形成されることが好ましい。これにより、背面側上面部に連設された係止片および正面側上面部に連設された係止片をそれぞれ側面側上面部に形成された差込孔に差し込むとともに、それらの各係止溝を側面側上面部に係止させることができる。したがって、背面側上面部および正面側上面部にそれぞれ連設された係止片の係止溝を側面側上面部に係止することで、板状体の内フランジ部に巻き付けられた抜け止め片と一体の跳ね上がり防止片を覆った状態の背面側上面部および正面側上面部が元の位置に戻ろうとするのを確実に防止できる。
【００２７】
本発明において、前記底面部と側面部との折り目および側面部と側面側上面部との折り目が設定間隔をおいて間欠的に形成されるとともに、底面部および側面側上面部に、間欠的な折り目における対向する端縁を結んで角括弧状の切れ目がそれぞれ形成され、底面部の角括弧状の切れ目および側面側上面部の角括弧状の切れ目が互い違いに形成されることが好ましい。これにより、側面部の上下各端縁に角括弧状の切れ目による複数の脚部が底面部の下面、側面側上面部の上面から互い違いに突出されることから、梱包材によって梱包された板状体を上下に積み重ねると、上方の板状体を梱包する梱包材の底面部の下面から突出する脚部が、下方の板状体を梱包する梱包材の側面側上面部の上面から突出する脚部間における側面側上面部の上面に接地し、上下の梱包材を前後方向に位置決めして移動しないように支持することができる。
【００２８】
本発明において、前記底面部と背面部との折り目、底面部と正面部との折り目、背面部と背面側上面部との折り目、正面部と正面側上面部との折り目が設定間隔をおいて間欠的に形成されるとともに、底面部、背面側上面部、正面側上面部に、各間欠的な折り目における対向する端縁を結んで角括弧状の切れ目がそれぞれ形成され、底面部の角括弧状の切れ目および背面側上面部の角括弧状の切れ目、底面部の角括弧状の切れ目および正面側上面部の角括弧状の切れ目がそれぞれ互い違いに形成されることが好ましい。これにより、背面部および正面部の上下各端縁に角括弧状の切れ目による脚部が底面部の下面、背面側上面部の上面および正面側上面部の上面から互い違いに突出されることから、梱包材によって梱包された板状体を上下に積み重ねると、上方の板状体を梱包する梱包材の底面部の下面から突出する脚部が、下方の板状体を梱包する梱包材の背面側上面部の上面および正面側上面部の上面から突出する脚部に接して背面側上面部の上面および正面側上面部の上面に接地し、上下の梱包材を左右方向に位置決めして移動しないように支持することができる。
【発明の効果】
【００２９】
本発明によれば、型枠付き太陽電池モジュールなどの板状体からの抜け出しを確実に防止して梱包することができる。
【図面の簡単な説明】
【００３０】
【図１】本発明の梱包材の一実施形態を板状体を梱包して示す斜視図である。
【図２】図１の左方の梱包材のＸ面断面図である。
【図３】図１の左方の梱包材の展開図である。
【図４】図１の梱包材による板状体の梱包要領を説明する工程図である。
【図５】図１の梱包材による板状体の梱包要領を説明する工程図である。
【図６】図１の梱包材による板状体の梱包要領を説明する工程図である。
【図７】抜け止め片および跳ね上がり防止片の形成要領を示す説明図である。
【図８】図１の梱包材による板状体の梱包要領を説明する工程図である。
【図９】抜け止め片および跳ね上がり防止片の他の形成要領を示す説明図である。
【図１０】抜け止め片および跳ね上がり防止片の他の実施例を示す側面側上面部の部分平面図である。
【図１１】抜け止め片および跳ね上がり防止片の他の実施例の変形例を示す側面側上面部の部分平面図である。
【発明を実施するための形態】
【００３１】
以下、本発明の実施の形態を図面に基づいて説明する。
【００３２】
図１および図２には、本発明の梱包材１の一実施形態が板状体Ｐ、具体的には、型枠付き太陽電池モジュールを梱包して示されている。
【００３３】
ここで、板状体Ｐの一例として示す型枠付き太陽電池モジュールは、図２に示すように、アルミニウムなどの軽量金属薄板によって形成されるフレームｐ１と太陽電池パネルｐ２とから構成される。そして、フレームｐ１は、断面Ｆ字状の保持フレーム部ｐ１ａおよび保持フレーム部ｐ１ａの下端に一体に設けられた内フランジ部ｐ１ｂを含み、保持フレーム部ｐ１ａの断面コ字状の空間に太陽電池パネルｐ２を嵌め込んで固定している。また、フレームｐ１の内フランジ部ｐ１ｂは、保持フレーム部ｐ１ａを補強するとともに、屋根材などへの設置に利用される。
【００３４】
この実施形態の梱包材１は、板状体Ｐの対向する左右各側面とともに、左右各側面近傍の底面、上面、背面および正面をそれぞれ覆うものであって、ダンボールを展開図にしたがって打ち抜いた後、板状体Ｐの幅に相当する間隔をおいて左右に配置した梱包材１，１にわたって板状体Ｐを載置し、折り目に沿って折り込んで係止することにより、板状体Ｐを梱包するものである。
【００３５】
この場合、梱包材１は、板状体Ｐに対して左右一対必要となるが、板状体Ｐの幅方向中心線に関して左右対称であり、左方の梱包材１についてのみ説明する。
【００３６】
梱包材１は、図３の展開図において、コ字状に形成された底面部２の側端縁に側面部３および側面側上面部４が折り目ａ，ｂを介して順に連設される一方、底面部２の上下各端縁に背面部５および正面部６がそれぞれ折り目ｃ，ｃを介して連設されるとともに、背面部５の上端縁および正面部６の下端縁に背面側上面部７および正面側上面部８がそれぞれ折り目ｄ，ｄを介して連設され、また、背面側上面部７の側端縁および正面側上面部８の側端縁に係止片９，９がそれぞれ折り目ｅ，ｅを介して連設され、さらに、側面部３の上下各端縁にフラップ１０，１０がそれぞれ折り目ｆ，ｆを介して連設されて構成されている。
【００３７】
そして、側面側上面部４には、上下各端部近傍において、側面部３との折り目ｂに沿ってダンボールの厚みに相当する幅と係止片９の長さからなる上下方向に細長い方形状の差込孔４ａが係止片９に対応して形成されている。また、側面側上面部４には、前述した各差込孔４ａに臨む上下各端部近傍において、Ｕ字状などの凸状の切れ目ｇが側面部３との折り目ｂ方向に向かってそれぞれ形成されるとともに、凸状の切れ目ｇを挟んで側端縁に直交する一対の切れ目ｈ，ｈがそれぞれ側端縁から設定長さにわたって形成され、これらの凸状の切れ目ｇと当該凸状の切れ目ｇを挟む一対の切れ目ｈ，ｈとの間に、凸状の切れ目ｇの各端縁から各切れ目ｈに向かって、また、各切れ目ｈの終端縁から凸状の切れ目ｇに向かって、板状体Ｐを構成するフレームｐ１の内フランジ部ｐ１ｂの厚みに相当する間隔の一対の折り目ｉ，ｉが側面部３と側面側上面部４との折り目ｂと平行にそれぞれ形成されている。
【００３８】
ここで、側面部３と側面側上面部４との折り目ｂから内方側の折り目ｉまでの距離が内フランジ部ｐ１ｂの幅に設定されている。
【００３９】
これらの凸状の切れ目ｇ、一対の切れ目ｈ，ｈおよび平行な一対の折り目ｉ，ｉによって、後述するように、一体に連動する抜け止め片４１および跳ね上がり防止片４２が区画形成される。
【００４０】
また、底面部２と側面部３との折り目ａは、設定間隔をおいて間欠的に形成されるとともに、底面部２には、間欠的な折り目ａにおける対向する終端縁と始端縁とを結んで角括弧状の切れ目ｊが形成されている。一方、側面部３と側面側上面部４との折り目ｂも、設定間隔をおいて間欠的に形成されるとともに、側面側上面部４には、間欠的な折り目ｂにおける対向する終端縁と始端縁とを結んで角括弧状の切れ目ｋが形成されている。この場合、底面部２に形成された角括弧状の切れ目ｊと側面側上面部４に形成された角括弧状の切れ目ｋとは、互い違いに形成されている。
【００４１】
同様に、底面部２と背面部５との折り目ｃおよび底面部２と正面部６との折り目ｃも、設定間隔をおいて間欠的に形成されるとともに、底面部２には、間欠的な折り目ｃにおける対向する終端縁と始端縁とを結んで角括弧状の切れ目ｍが形成されている。さらに、背面部５と背面側上面部７との折り目ｄおよび正面部６と正面側上面部８との折り目ｄも、設定間隔をおいて間欠的に形成されるとともに、背面側上面部７および正面側上面部８には、間欠的な折り目ｄにおける対向する終端縁と始端縁とを結んで角括弧状の切れ目ｎがそれぞれ形成されている。この場合、底面部２に形成された角括弧状の切れ目ｍと背面側上面部７に形成された角括弧状の切れ目ｎとは互い違いに形成され、底面部２に形成された角括弧状の切れ目ｍと正面側上面部８に形成された角括弧状の切れ目ｎとは互い違いに形成されている。
【００４２】
これらの角括弧状の切れ目ｊ，ｋ，ｍ，ｎによって、後述するように、側面部３の上下各端縁、背面部５の上下各端縁、正面部６の上下各端縁に、それぞれ上方および下方に突出する互い違いの脚部３１，５１，６１が形成される。
【００４３】
また、背面側上面部７および正面側上面部８は、前述した凸状の切れ目ｇ、一対の切れ目ｈ，ｈおよび平行な一対の折り目ｉ，ｉによって形成される抜け止め片４１および跳ね上がり防止片４２を上方から覆うことができる高さを有している。すなわち、背面部５と背面側上面部７との折り目ｄから背面側上面部７の上端縁までの長さは、側面側上面部４の上端縁からその上端部近傍の抜け止め片４１および跳ね上がり防止片４２を形成する下方の切れ目ｈまでの長さよりも大きく設定されている。同様に、正面部６と正面側上面部８との折り目ｄから正面側上面部８の下端縁までの長さは、側面側上面部４の下端縁からその下端部近傍の抜け止め片４１および跳ね上がり防止片４２を形成する上方の切れ目ｈまでの長さよりも大きく設定されている。
【００４４】
一方、背面側上面部７に連設された係止片９には、上端縁部に背面側上面部７との折り目ｅに沿ってダンボールの厚みよりもやや大きな幅と深さの係止溝９ａが形成されている。同様に、正面側上面部８に連設された係止片９にも、下端縁部に正面側上面部８との折り目ｅに沿ってダンボールの厚みよりもやや大きな幅と深さの係止溝９ａが形成されている。
【００４５】
ここで、係止片９の長さと差込孔４ａの長さは一致している他、背面部５と背面側上面部７との折り目ｄから係止片９の下端縁までの長さ（正面部６と正面部側上面部８との折り目ｄから係止片９の上端縁までの長さ）は、側面側上面部４の上端縁から上方の差込孔４ａの上端縁までの長さ（側面側上面部４の下端縁から下方の差込孔４ａの下端縁までの長さ）に係止溝９ａの深さを加えた長さよりもやや大きく設定されている。つまり、後述するように、係止片９を差込孔４ａに差し込む際、背面部５（正面部６）の内面と側面部３の上下各端縁との間になおも係止溝９ａの深さ分押し込む余裕を確保している。
【００４６】
次に、このように構成された梱包材１を用いて板状体Ｐである型枠付き太陽電池モジュールを梱包する場合について図４乃至図８に基づいて説明する。
【００４７】
まず、それぞれ展開図にしたがって梱包材１を打ち抜いた後、一対の梱包材１，１を板状体Ｐの幅に相当する間隔をおいて作業テーブル上に左右対称に配置する。具体的には、板状体Ｐの四隅に、左右の梱包材１，１における底面部２と側面部３との折り目ａおよび底面部２と背面部５との折り目ｃとの交点、底面部２と側面部３との折り目ａおよび底面部２と正面部６との折り目ｃとの交点がそれぞれ対向するように、左右の梱包材１，１を作業テーブル上に配置する（図４参照）。
【００４８】
次いで、対向して配置した左右の梱包材１，１の底面部２，２にわたって板状体Ｐを載置した後（図５参照）、底面部２に対して側面部３を折り目ａに沿って谷折りし、板状体Ｐの左右各側面に沿うように立ち上げるとともに、側面部４に対して各フラップ１０を折り目ｆに沿って谷折りし、板状体Ｐの背面および正面にそれぞれ沿うように折り曲げる（図６参照）。
【００４９】
その後、立ち上げた側面部３に対して側面側上面部４を折り目ｂに沿って谷折りし、板状体Ｐを構成するフレームｐ１の内フランジ部ｐ１ｂに沿わせるとともに（図７（ｂ）参照）、側面側上面部４の上下各端縁部近傍に形成された一対の切れ目ｈ，ｈによって区画された部分（抜け止め片４１）を平行な一対の折り目ｉ，ｉのうち、板状体Ｐにおけるフレームｐ１の内フランジ部ｐ１ｂの端縁に対応する側面部３側の折り目ｉに沿って谷折りする。この際、凸状の切れ目ｇによって区画された部分（跳ね上がり防止片４２）が抜け止め片４１に連動して立ち上げられる（図７（ｃ）参照）。さらに、一対の切れ目ｈ，ｈによって区画された抜け止め片４１をもう一つの折り目ｉに沿って内方に折り込み、内フランジ部ｐ１ｂに巻き付ける。この際、凸状の切れ目ｇによって区画された跳ね上がり防止片４２が抜け止め片４１に連動して板状体Ｐにおけるフレームｐ１の内フランジ部ｐ１ｂの先端から板状体Ｐの内方側に向けて突出される（図７（ｄ）参照）。
【００５０】
次いで、背面側上面部７および正面側上面部８に対して係止片９をそれぞれ折り目ｅ，ｅに沿って谷折りするとともに、底面部２に対して背面部５および正面部６をそれぞれ折り目ｃ，ｃに沿って谷折りし、板状体Ｐの背面および正面に沿うようにそれぞれ立ち上げる（図８参照）。
【００５１】
この後、背面部５に対して背面側上面部７を折り目ｄに沿って谷折りし、板状体Ｐの上面に沿うように折り曲げるとともに、係止片９を側面側上面部４の差込孔４ａに差し込む。さらに、係止片９を差込孔４ａに差し込んだ状態で、背面側上面部７を側面側上面部４に沿って対向する正面側上面部８に向けて押し出せば、係止片９が側面部３の内面に沿って押し出され、係止溝９ａが側面側上面部４の差込孔４ａ端縁部に係止され、差込孔４ａからの係止片９の抜け出しが阻止される。これにより、背面側上面部７が跳ね上がり防止片４２を上方から押さえ込み、跳ね上がり防止片４２が一対の折り目ｉ，ｉに沿って元の位置に戻ろうとするのを防止するとともに、係止片９の係止溝９ａが側面側上面部４に係止し、係止片９、すなわち、背面側上面部７が折り目ｄに沿って元の位置に戻ろうとするのを防止する（図１、図２参照）。
【００５２】
同様に、正面部６に対して正面側上面部８を折り目ｄに沿って谷折りし、板状体Ｐの上面に沿うように折り曲げるとともに、係止片９を側面側上面部４の差込孔４ａに差し込む。さらに、係止溝９ａを差込孔４ａに差し込んだ状態で、正面側上面部８を側面側上面部４に沿って対向する背面側上面部７に向けて押し出せば、係止片９が側面部３の内面に沿って押し出され、係止溝９ａが側面側上面部４の差込孔４ａ端縁部に係止され、差込孔４ａからの係止片９の抜け出しが阻止される。これにより、正面側上面部８が跳ね上がり防止片４２を上方から押さえ込み、跳ね上がり防止片４２が平行な一対の折り目ｉ，ｉに沿って元の位置に戻ろうとするのを防止するとともに、係止片９の係止溝９ａが側面側上面部４に係止し、係止片９、すなわち、正面側上面部８が折り目ｄに沿って元の位置に戻ろうとするのを防止する。
【００５３】
この結果、板状体Ｐを梱包材１，１によって梱包すると、図１および図２に示すように、梱包材１の抜け止め片４１が板状体Ｐにおけるフレームｐ１の内フランジ部ｐ１ｂに巻き付けられるとともに、抜け止め片４１と一体の跳ね上がり防止片４２を背面側上面部７および正面側上面部８がそれぞれ上方から押さえ込んで跳ね上がり防止片４２が元の位置に戻ろうとするのを防止する一方、各係止片９が側面側上面部４に形成された差込孔４ａにそれぞれ差し込まれるとともに、係止溝９ａが側面側上面部４に係止され、係止片９の抜け出し、すなわち、各係止片９がそれぞれ連設された背面側上面部７および正面側上面部８が元の位置に戻ろうとするのを防止することにより、板状体Ｐからの梱包材１の抜け出しを確実に防止することができる。したがって、左右に対向する一対の梱包材１，１にわたって結束バンドなどによって結束する必要がなく、梱包作業を短時間に行うことが可能となり、コストの上昇を抑えることができる。あるいはまた、結束バンドを併用することによって、梱包材１の抜け出しをより確実に防止することができるため、梱包の信頼性をさらに高めることができる。
【００５４】
また、側面部３、背面部５、正面部６の各下端縁に角括弧状の切れ目ｊ，ｋ，ｍ，ｎによる複数の脚部３１，５１，６１が底面部２の下面から突出するとともに、側面部３、背面部５、正面部６の各上端縁に角括弧状の切れ目ｊ，ｋ，ｍ，ｎによる複数の脚部３１，５１，６１が側面側上面部４の上面、背面側上面部７の上面および正面側上面部８の上面から突出する。そして、底面部２の下面から突出する脚部３１，５１，６１と側面側上面部４の上面、背面側上面部７の上面および正面側上面部８の上面から突出する脚部３１，５１，６１とは互い違いに形成される。これにより、梱包材１，１によって梱包された板状体Ｐを上下に積み重ねると、上方の板状体Ｐを梱包する梱包材１，１の底面部２の下面から突出する脚部３１，５１，６１が、それぞれ下方の板状体Ｐを梱包する梱包材１，１の側面側上面部４の上面、背面側上面部７の上面および正面側上面部８の上面からそれぞれ突出する脚部３１，５１，６１間の上面に接地し、上下の梱包材１，１を左右方向および前後方向に位置決めして移動しないように支持することができる。
【００５５】
このとき、側面側上面部４に形成した抜け止め片４１が板状体Ｐの内フランジ部ｐ１ｂを巻き込み、また、跳ね上がり防止片４２により梱包材１をきっちり抜け防止して組み立てるので、脚部３１，５１，６１の位置精度を極めて高くできる。したがって、梱包材１が左右の２部材に分割されていても、上下に積み重ねるときの各脚部３１，５１，６１の合わせ込みが極めて容易に行えるとともに、上下に積み重ねた際の横ズレ現象の発生を大幅に抑制できる。
【００５６】
ところで、前述した実施形態においては、凸状の切れ目ｇ、一対の切れ目ｈ，ｈおよび平行な一対の折り目ｉ，ｉを側面側上面部４に形成し、凸状の切れ目ｇおよび一対の切れ目ｈ，ｈによって区画された部分を平行な一対の折り目ｉ，ｉに沿って折り込んで抜け止め片４１および跳ね上がり防止片４２を区画形成し、一対の折り目ｉ，ｉに沿って略１８０度折り返して抜け止め片４１を板状体Ｐにおけるフレームｐ１の内フランジ部ｐ１ｂに巻き付ける場合を例示したが、略１８０度にわたって折り返すことなく板状体Ｐにおけるフレームｐ１の内フランジ部ｐ１ｂを側面側上面部４との間で挟み込んで抜け出しを防止することもできる。具体的には、図９に示すように、側面側上面部４の上下各端縁部近傍に形成された一対の切れ目ｈ，ｈによって区画された部分を跳ね上がり防止片４２として一対の折り目ｉ，ｉのうち、側面側上面部４の上端縁側の折り目ｉに沿って外方に向けて略９０度谷折りする。この際、凸状の切れ目ｇによって区画された部分が抜け止め片４１として跳ね上がり防止片４２に連動して略水平状に切り起こされる（図９（ｂ）参照）。この後、側面部３に対して側面側上面部４を折り目ｂに沿って谷折りし、板状体Ｐにおけるフレームｐ１の内フランジ部ｐ１ｂの外面に沿わせるとともに（図９（ｃ）参照）、一対の切れ目ｈ，ｈによって区画された跳ね上がり防止片４２をもう一つの折り目ｉに沿って前述とは逆に戻すように内方に折り込み、凸状の切れ目ｇによって区画された抜け止め片４１を内フランジ部ｐ１ｂに巻き付けるとともに、抜け止め片４１に連動して跳ね上がり防止片４２を板状体Ｐの内フランジ部ｐ１ｂから突出させる（図９（ｄ）参照）。
【００５７】
この場合、凸状の切れ目ｇによって区画された部分が抜け止め片４１に形成されるとともに、一対の切れ目ｈ，ｈによって区画された部分が跳ね上がり防止片４２に形成され、前述した場合とは、役割が逆転するものとなる。
【００５８】
また、前述した実施形態においては、凸状の切れ目ｇ、一対の切れ目ｈ，ｈおよび平行な一対の折り目ｉ，ｉによって一体に連動する抜け止め片４１および跳ね上がり防止片４２を形成したが、図１０に示すように、２個（複数個）の凸状の切れ目ｇを形成するとともに、両側の凸状の切れ目ｇの端縁に連続して側面側上面部４の端縁まで延びる一対の切れ目ｈ，ｈを形成し、隣接する凸状の切れ目ｇ，ｇ間に内フランジ部ｐ１ｂの厚みに相当する間隔をおいて側面部３と側面側上面部４との折り目ｂに平行な一対の折り目ｉ，ｉを形成し、これらの一対の切れ目ｈ，ｈ、複数個の凸状の切れ目ｇおよび平行な一対の折り目ｉ，ｉによって一体に連動する抜け止め片４１および跳ね上がり防止片４２を形成することもできる。このような一対の切れ目ｈ，ｈ、複数個の凸状の切れ目ｇおよび平行な一対の折り目ｉ，ｉによって形成される抜け止め片４１および跳ね上がり防止片４２は、複数個に分割されるため、力を分散して支持することができ、好ましい。
【００５９】
ここでは、一対の切れ目ｈ，ｈを両側の凸状の切れ目ｇの端縁に連続して形成した場合を例示したが、図１１に示すように、両側の凸状の切れ目ｇから離れた位置に一対の切れ目ｈ，ｈを形成してもよい。この場合、両側の凸状の切れ目ｇと一対の切れ目ｈ，ｈとの間にも、内フランジ部ｐ１ｂの厚みに相当する間隔の一対の平行な折り目ｉ，ｉを形成することが好ましい。
【００６０】
さらに、前述した実施形態においては、板状体Ｐとして型枠付き太陽電池モジュールを例示したが、太陽電池モジュールに限らず、窓枠、ドアなどの額縁なども板状体Ｐとして適用することができる。
【００６１】
さらにまた、前述した実施形態においては、一対の梱包材１，１によって板状体Ｐの長手方向に対向する左右各側面とともに、その左右各側面近傍の底面、上面、正面、背面を覆う場合について説明したが、短手方向に対向する左右各側面とともに、その左右各側面近傍の底面、上面、正面、背面を覆うこともできる。
【００６２】
また、梱包材１を展開図にしたがって打ち抜くことに先立って、側面部３の差込孔４ａに臨む部分（図３の展開図にハッチングで示す部分）を圧縮してダンボールの板厚を薄くすることが好ましい。これにより、差込孔４ａに対する係止片９の差し込みを容易に行うことができる。
【００６３】
さらに、前述した実施形態においては、背面側上面部７および正面側上面部８にそれぞれ係止片９を連設するとともに、側面側上面部４に係止片９に対応して差込孔４ａを形成し、係止片９を差込孔４ａに差し込んで係止することにより、背面側上面部７および正面側上面部８の跳ね上がりを防止する場合を説明したが、係止片９を連設することなく背面側上面部７および正面側上面部８を粘着テープなどを利用して側面側上面部４に貼着するようにしてもよい。
【００６４】
なお、板状体Ｐの背面および正面を保護するため、背面部５と背面側上面部７、正面部６と正面側上面部８および底面部２の一部または全部によって左右の梱包材１，１を一体に連設することもできる。この場合、抜け止め片４１および跳ね上がり防止片４２を併用すると、梱包材の抜け出しをさらに確実に防止できるとともに、梱包材によって梱包された板状体Ｐのガタツキなどを確実に防止でき、有用である。
【符号の説明】
【００６５】
１  梱包材
２  底面部
３  側面部
３１  脚部
４  側面側上面部
４ａ  差込孔
４１  抜け止め片
４２  跳ね上がり防止片
５  背面部
５１  脚部
６  正面部
６１  脚部
７  背面側上面部
８  正面側上面部
９  係止片
９ａ  係止溝
ａ，ｂ，ｃ，ｄ，ｅ，ｆ，ｉ  折り目
ｇ  凸状の切れ目
ｈ  切れ目
ｊ，ｋ，ｍ，ｎ  角括弧状の切れ目
Ｐ  板状体
ｐ１  フレーム
ｐ１ｂ  内フランジ部
【図１】
0005449084.tif 000002
【図２】
0005449084.tif 000003
【図３】
0005449084.tif 000004
【図４】
0005449084.tif 000005
【図５】
0005449084.tif 000006
【図６】
0005449084.tif 000007
【図７】
0005449084.tif 000008
【図８】
0005449084.tif 000009
【図９】
0005449084.tif 000010
【図１０】
0005449084.tif 000011
【図１１】
0005449084.tif 000012